(57)【要約】【課題】少ない数の導線で構成され、雑音電流の還流によって輻射する電磁波の強度が弱い小型の電源装置の提供。【解決手段】導線３ａ，４０ａ，４１ａ夫々の一端は、モータ３及びＥＣＵ４０，４１に接続してある。導線３ｂ，４０ｂ，４１ｂ夫々の一端は導体６に接続してあり、導線３ｂ，４０ｂ，４１ｂ夫々の他端はモータ３及びＥＣＵ４０，４１に接続してある。モータ３及びＥＣＵ４０，４１夫々は、導線３ａ，４０ａ，４１ａを介してバッテリ５によって給電される。モータ３に接続してある導線３ａ，３ｂの間にコンデンサＣ１が接続してあり、モータ３及びコンデンサＣ１の間に接続してある導線３ａ，３ｂは並置されている。【選択図】図１
2014054951.tif 000002
【特許請求の範囲】
【請求項１】
複数の第１導線と、夫々の一端が導体に接続される複数の第２導線と、夫々が前記第１導線の一端、及び、前記第２導線の他端に各別に接続してあり、前記第１導線を介してバッテリによって給電される複数の負荷とを備える電源装置において、
前記複数の負荷の中の一の負荷に接続してある前記第１及び第２導線の間に接続されるコンデンサを備え、
前記一の負荷及びコンデンサの間に接続してある第１及び第２導線は並置されていること
を特徴とする電源装置。
【請求項２】
複数の第１導線と、夫々の一端が導体に接続される複数の第２導線と、夫々が前記第１導線の一端、及び、第２導線の他端夫々に接続してあり、前記第１導線を介してバッテリによって給電される複数の負荷とを備える電源装置において、
前記複数の負荷の中の一の負荷に接続してある前記第１及び第２導線の間に接続されるコンデンサを備え、
前記一の負荷及びコンデンサの間を接続してある第１及び第２導線は撚り合わされていること
を特徴とする電源装置。
【請求項３】
前記バッテリに接続される第１端と、
前記一の負荷に接続してある前記第１導線の他端に接続される第２端と、
前記一の負荷を除く他の一又は複数の負荷夫々に接続してある一又は複数の前記第１導線の他端に接続される第３端と
を有する第３導線を備えること
を特徴とする請求項１又は請求項２に記載の電源装置。
【発明の詳細な説明】
【技術分野】
【０００１】
本発明はバッテリから負荷に給電する電源装置に関する。
【背景技術】
【０００２】
現在、車両にはバッテリから負荷に給電する電源装置が搭載されており、電源装置が備える負荷には、給電によって動作し、動作時に雑音を発生する負荷、例えばモータが含まれている。バッテリ及び負荷は導線によって接続されており、負荷が発生した雑音に係る電流（以下では雑音電流と記載する）は、負荷の一方の端子から電源装置内を還流して、負荷の他方の端子に戻る。
【０００３】
このように、雑音電流が電源装置内を還流した場合、雑音電流が有する周波数成分と同様の周波数成分を有する電磁波が輻射される。電源装置周辺にあるアンテナは、輻射された電磁波を無線信号と共に受信する。ここで、該電磁波を構成する周波数帯域と無線信号を構成する周波数帯域とが重なる場合、輻射された電磁波は無線信号に対して雑音として作用し、アンテナが受信した無線信号に基づいて動作する電気機器の動作に問題が生じる。
【０００４】
例えば、アンテナが携帯機器から受信した無線信号に基づいて、携帯機器を認証してドアの開錠又は施錠を行う電気機器ついては、無線信号に雑音が含まれているために、携帯機器が正しく認証されず、ドアの開錠又は施錠が適正に行われない虞がある。
【０００５】
また、アンテナが受信した無線信号に係るラジオ放送に基づいて音声を出力する電気機器については、無線信号に雑音が含まれているために、雑音が重畳された音声を出力する虞がある。
このため、雑音電流の還流によって輻射される電磁波の強度を低減し、無線信号に含まれる雑音を低減する必要がある。
【０００６】
特許文献１には雑音電流の還流によって輻射される電磁波の強度を低減する電源装置が開示されている。この電源装置では、バッテリの正極端子、及び、負荷の一方の端子を接続している導線と、バッテリの負極端子、及び、負荷の他方の端子を接続している導線とを並置することによって、輻射される電磁波の強度を低減している。
【０００７】
図４は、雑音電流の還流によって輻射される電磁波の強度の低減を説明するための説明図である。図４には、バッテリ８０の正極端子、及び、動作時に雑音を発生する負荷８１の一方の端子の間に導線８２が接続してあり、バッテリ８０の負極端子、及び、負荷８１の他方の端子間に導線８３が接続してある電源装置８が示されている。電源装置８では導線８２，８３が並置されている。
【０００８】
以上のように構成された電源装置８では、負荷８１の一方の端子から雑音電流が導線８２、バッテリ８０及び導線８３の順に流れ、負荷８１の他方の端子に戻るため、導線８２，８３夫々に流れる雑音電流の量は同一であり、導線８３に流れる雑音電流の方向は、導線８２に流れる雑音電流の方向と反対である。
【０００９】
このため、雑音電流が流れることによって導線８２の周囲に発生する磁界Ｍ８の方向は、導線８２，８３間の領域を除く他の領域では、雑音電流が流れることによって導線８３の周囲に発生する磁界Ｍ９の方向と反対方向である。更に、導線８２，８３に流れる雑音電流の量が同一であるため、磁界Ｍ８，Ｍ９の強度は略同じである。これにより、磁界Ｍ８，Ｍ９の大部分が打ち消し合い、雑音電流の還流によって輻射される電磁波の強度は低減される。
【先行技術文献】
【特許文献】
【００１０】
【特許文献１】特開２００９−２６９５７９号公報
【発明の概要】
【発明が解決しようとする課題】
【００１１】
しかしながら、車両に搭載される電源装置では、通常、１つのバッテリが複数の負荷に給電している。
図５は、従来の電源装置の要部構成を示す回路図である。この電源装置９では、図５に示すように、負荷９０，９１，９２夫々の一方の端子は、ヒューズＦ７，Ｆ８のいずれか１つを介してバッテリ９３の正極端子に接続してある。また、負荷９０，９１，９２夫々の他方の端子、及び、バッテリ９３の負極端子は、導体９４、例えば車両のボディに接続してある。ヒューズＦ７，Ｆ８は電源ボックス９５に収容されている。電源ボックス９５内では、導線が分岐しており、バッテリ９３の正極端子は、電源ボックス９５を介して負荷９０，９１，９２夫々に接続している。
【００１２】
以上のように構成された電源装置９では、電源ボックス９５内で導線が分岐しており、バッテリ９３の負極端子が導体９４を介して負荷９０，９１，９２夫々の他方の端子と接続してある。このため、負荷９０，９１，９２のいずれか１つが雑音電流を流した場合に雑音電流の量が同じで雑音電流の方向が互いに反対となる一対の導線は設けられていない。
【００１３】
負荷９０，９１，９２の中で動作時に雑音を発生する負荷について、図４に示すように、一方の端子をバッテリ９３の正極端子に、分岐していない導線で直接に接続し、他方の端子をバッテリ９３の負極端子に、分岐していない導線で直接に接続し、雑音を発生する負荷に接続してある２つの導線を並置させることも可能である。これにより、雑音電流の還流によって輻射する電磁波の強度を低減することができる。
【００１４】
しかしながら、以上のような接続を行った場合、導線の分岐ができず、更には、導体を用いた接続を行うことができないため、多数の導線が必要であり、電源装置が大型化するという問題点がある。
【００１５】
本発明は斯かる事情に鑑みてなされたものであり、その目的とするところは、少ない数の導線で構成され、雑音電流の還流によって輻射する電磁波の強度が弱い小型の電源装置を提供することにある。
【課題を解決するための手段】
【００１６】
本発明に係る電源装置は、複数の第１導線と、夫々の一端が導体に接続される複数の第２導線と、夫々が前記第１導線の一端、及び、前記第２導線の他端に各別に接続してあり、前記第１導線を介してバッテリによって給電される複数の負荷とを備える電源装置において、前記複数の負荷の中の一の負荷に接続してある前記第１及び第２導線の間に接続されるコンデンサを備え、前記一の負荷及びコンデンサの間に接続してある第１及び第２導線は並置されていることを特徴とする。
【００１７】
本発明にあっては、複数の負荷夫々は第１導線の一端と、第２導線の他端に接続しており、第１導線を介してバッテリによって給電される。第２導線の一端は導体、例えば、車両のボディに接続してある。複数の負荷の中の一の負荷、例えば、動作時に雑音電流を発生するモータに接続してある第１及び第２導線の間にコンデンサが接続してあり、一の負荷及びコンデンサの間に接続してある第１及び第２導線は並置されている。
【００１８】
このため、雑音電流、より詳細には、雑音電流の高周波成分は、一の負荷の一方の端子から第１導線、コンデンサ及び第２導線に順に流れ、一の負荷の他方の端子に戻る。雑音電流の高周波成分については、第１及び第２導線に流れる電流の量が略同じで、電流が流れる方向が互いに反対である。
【００１９】
従って、雑音電流の高周波成分が第１導線に流れることによって発生する磁界は、雑音電流の高周波成分が第２導線に流れることによって発生する磁界と、第１及び第２導線間の領域を除く他の領域で打ち消し合う。このため、雑音電流の還流によって輻射する電磁波の強度は弱い。
【００２０】
また、第１及び第２導線間にコンデンサを接続することによって、雑音電流の高周波成分を還流させているため、一の負荷に接続してある第１及び第２導線夫々を直接にバッテリの一方及び他方の端子に接続する必要がない。従って、接続に用いられる導線の本数が少なく、装置が小型である。
【００２１】
本発明に係る電源装置は、複数の第１導線と、夫々の一端が導体に接続される複数の第２導線と、夫々が前記第１導線の一端、及び、第２導線の他端夫々に接続してあり、前記第１導線を介してバッテリによって給電される複数の負荷とを備える電源装置において、前記複数の負荷の中の一の負荷に接続してある前記第１及び第２導線の間に接続されるコンデンサを備え、前記一の負荷及びコンデンサの間を接続してある第１及び第２導線は撚り合わされていることを特徴とする。
【００２２】
本発明にあっては、複数の負荷夫々は第１導線の一端と、第２導線の他端に接続しており、第１導線を介してバッテリによって給電される。第２導線の一端は導体、例えば、車両のボディに接続してある。複数の負荷の中の一の負荷、例えば、動作時に雑音電流を発生するモータに接続してある第１及び第２導線の間にコンデンサが接続してあり、一の負荷及びコンデンサの間に接続してある第１及び第２導線は撚り合わされている。
【００２３】
このため、雑音電流、より詳細には、雑音電流の高周波成分は、一の負荷の一方の端子から第１導線、コンデンサ及び第２導線の順に流れ、一の負荷の他方の端子に戻る。雑音電流の高周波成分については、第１及び第２導線に流れる電流の量が略同じである。
【００２４】
また、撚り合いによって構成される複数の環夫々では、雑音電流の高周波成分が第１及び第２導線を流れることによって磁界が発生する。一の環から発生する磁界の強度は、一の環に隣り合う環から発生する磁界の強度と略同じであり、一の環から発生する磁界の方向は、一の環に隣り合う環から発生する磁界の方向と反対である。
【００２５】
従って、一の環から発生する磁界は、一の環に隣り合う環から発生する磁界と打消し合う。このため、雑音電流の還流によって輻射する電磁波の強度は弱い。
【００２６】
また、第１及び第２導線間にコンデンサを接続することによって、雑音電流の高周波成分を還流させているため、一の負荷に接続してある第１及び第２導線夫々を直接にバッテリの一方及び他方の端子に接続する必要がない。従って、接続に用いられる導線の本数が少なく、装置が小型である。
【００２７】
本発明に係る電源装置は、前記バッテリに接続される第１端と、前記一の負荷に接続してある前記第１導線の他端に接続される第２端と、前記一の負荷を除く他の一又は複数の負荷夫々に接続してある一又は複数の前記第１導線の他端に接続される第３端とを有する第３導線を備えることを特徴とする。
【００２８】
本発明にあっては、第３導線は第１端、第２端及び第３端を有し、第１端にはバッテリが、第２端には一の負荷に接続してある第１導線の他端が、第３端には、一の負荷を除く他の一又は複数の負荷夫々に接続してある一又は複数の第１導線の他端が接続される。
【００２９】
このため、バッテリは、一の負荷と、他の一又は複数の負荷とに各別に給電する。従って、一の負荷が発生した雑音に係る電流は、一の負荷の一方の端子から、他の一又は複数の負荷に流れず、バッテリを経由して一の負荷の他方の端子に戻る。従って、一の負荷が発生した雑音が他の負荷に影響を及ぼすことがない。
【発明の効果】
【００３０】
本発明によれば、少ない数の導線で構成され、雑音電流の還流によって輻射する電磁波の強度が弱い小型の電源装置を実現することができる。
【図面の簡単な説明】
【００３１】
【図１】実施の形態１に係る電源装置の要部構成を示す回路図である。
【図２】車両における電源装置の各構成部の配置を説明するための説明図である。
【図３】実施の形態２に係る電源装置の要部構成を示す回路図である。
【図４】雑音電流の還流によって輻射される電磁波の強度の低減を説明するための説明図である。
【図５】従来の電源装置の要部構成を示す回路図である。
【発明を実施するための形態】
【００３２】
以下、本発明をその実施の形態を示す図面に基づいて詳述する。
（実施の形態１）
図１は、実施の形態１に係る電源装置の要部構成を示す回路図であり、図２は、車両における電源装置の各構成部の配置を説明するための説明図である。この電源装置１は、図２に示すように、車両２に好適に搭載され、負荷としてモータ３及びＥＣＵ（Electronic Control Unit）４０，４１を備える。モータ３は、パワーウィンドウを開閉するモータ、又は、ワイパーを駆動するモータ等であり、車両２の前方右側に配置されている。ＥＣＵ４０，４１夫々は、図示しないエンジンの動作を制御するＥＣＵ、又は、メータパネル若しくはドア等の電装品の動作を制御するＥＣＵ等であり、車両２の中央部に配置されている。モータ３及びＥＣＵ４０，４１を含む複数の負荷は、特許請求の範囲における複数の負荷に該当する。
【００３３】
電源装置１は、更に、導線３ａ，３ｂ，４０ａ，４０ｂ，４１ａ，４１ｂ，５０，５１、バッテリ５、コンデンサＣ１、スイッチＳ１及びヒューズＦ１，Ｆ２，Ｆ３を備える。第１導線として機能する導線３ａ，４０ａ，４１ａ夫々の一端は、モータ３及びＥＣＵ４０，４１の一方の端子に接続してある。第２導線として機能する導線３ｂ，４０ｂ，４１ｂ夫々の一端は導体６に接続される。導線３ｂ，４０ｂ，４１ｂ夫々の他端は、モータ３及びＥＣＵ４０，４１の他方の端子に接続してある。
【００３４】
一の負荷に該当するモータ３に接続してある導線３ａ，３ｂの間にコンデンサＣ１は接続され、モータ３及びコンデンサＣ１の間に接続してある導線３ａ，３ｂは並置されている。導線３ａの他端は、スイッチＳ１の一方の端子に接続してあり、スイッチＳ１の他方の端子はヒューズＦ１の一方の端子に接続してある。導線４０ａ，４１ａ夫々の他端はヒューズＦ２，Ｆ３の一方の端子に接続してある。
【００３５】
第３導線として機能する導線５０は、第１端５０ａ、第２端５０ｂ及び第３端５０ｃを有し、第１端５０ａはバッテリ５の正極端子に、第２端５０ｂはヒューズＦ１の他方の端子に、第３端５０ｃはヒューズＦ２，Ｆ３夫々の他方の端子に接続する。バッテリ５の負極端子は、導線５１によって導体６に接続してある。
なお、分岐してある導線５０については、１つの直線状の導線における両端間の接続ノードに、他の直線状の導線の一端を接続することによって作成してもよい。
【００３６】
ヒューズＦ１、スイッチＳ１及びコンデンサＣ１は電源ボックス３０内に収容してあり、ヒューズＦ２，Ｆ３は電源ボックス４２内に収容してある。導線５０の第３端５０ｃは、電源ボックス４２内でヒューズＦ２，Ｆ３夫々の他方の端子に接続してある。
【００３７】
ＥＣＵ４０，４１夫々は、導線４０ａ，４１ａを介してバッテリ５によって給電され、モータ３は、スイッチＳ１がオンである場合に、導線３ａを介してバッテリ５によって給電される。
【００３８】
モータ３は動作時に雑音を発生する負荷である。例えば、モータ３がブラシ付のＤＣ（Direct Current）モータである場合、モータ３が回転して整流子が切替わるときに、雑音として作用する突発的な電流が発生し、この雑音に係る電流、即ち、雑音電流がモータ３の一方の端子から流れる。
【００３９】
雑音電流の高周波成分は、図１の破線で示すように、モータ３の一方の端子から、導線３ａ、コンデンサＣ１及び導線３ｂの順に流れ、モータ３の他方の端子に戻る。このため、雑音電流の高周波成分については、導線３ａを流れる電流の量と、導線３ｂを流れる電流の量とは略同一であり、導線３ａを流れる電流の方向は、導線３ｂを流れる電流の方向と反対である。
【００４０】
従って、導線３ａに雑音電流の高周波成分が流れることによって発生する磁界Ｍ１の方向は、導線３ａ，３ｂ間の領域を除く他の領域において、導線３ｂに雑音電流の高周波成分が流れることによって発生する磁界Ｍ２の方向と反対であり、太線で示されている磁界Ｍ１，Ｍ２の強度は略同じである。これにより、磁界Ｍ１，Ｍ２は、導線３ａ，３ｂ間の領域を除く他の領域において互いに打ち消し合う。このため、雑音電流の還流によって発生する電磁波の強度は弱い。
【００４１】
従って、雑音電流の高周波成分の還流によって、該高周波成分と同様の周波数成分を有する電磁波は輻射するが、輻射される電磁波の強度は弱い。これにより、雑音電流の高周波成分と同様の周波数成分を有する無線信号が、雑音電流の還流によって輻射された電磁波に干渉されることは殆どなく、無線信号は電源装置１の近傍に配してある図示しないアンテナに正しく受信される。
【００４２】
モータ３、導線３ａ、コンデンサＣ１及び導線３ｂで構成される閉回路を還流する雑音電流の高周波成分は、コンデンサＣ１の容量に依存し、コンデンサＣ１の容量は、電源装置１の周辺にある図示しないアンテナが受信する無線信号の周波数に応じて適宜決定される。
【００４３】
以上のように、導線３ａ，３ｂの間にコンデンサＣ１を接続することによって、雑音電流の高周波成分を還流させている。このため、モータ３の一方の端子、及び、バッテリ５の正極端子を、分岐がない導線で直接に接続し、モータ３の他方の端子、及び、バッテリ５の負極端子を、分岐がない導線で直接に接続する必要がない。従って、電源装置１内での各構成部の接続に用いられる導線の本数は少なく、電源装置１は小型である。
【００４４】
なお、導線３ａ，３ｂの間隔は短い程、磁界Ｍ１，Ｍ２が互いに打消し合う量が多く、雑音電流の高周波成分の還流によって輻射される電磁波の強度は弱い。また、コンデンサＣ１及びモータ３間の導線３ａ，３ｂ夫々の距離の差は短い程、好ましい。ハーネスを用いて、モータ３、ＥＣＵ４０，４１及びバッテリ５を接続する場合、導線３ａ，３ｂは同一のハーネス内に含まれていることが好ましい。
【００４５】
導線５０については、第１端５０ａはバッテリ５の正極端子に接続され、第２端５０ｂはモータ３に接続してある導線３ａの他端に接続され、第３端５０ｃはＥＣＵ４０，４１夫々に接続してある導線４０ａ，４１ａの他端にヒューズＦ２，Ｆ３を介して接続される。バッテリ５は、電源ボックス３０を介してモータ３に給電し、電源ボックス４２を介してモータ３を除く他の負荷であるＥＣＵ４０，４１夫々に給電する。
【００４６】
このように、電源装置１には、バッテリ５がモータ３と、ＥＣＵ４０，４１からなる負荷群とに各別に給電するように給電経路が設けられている。
ここで、電流がヒューズＦ１の他方の端子からバッテリ５を介して導体６に流れる経路のインピーダンスは、電流がヒューズＦ１の他方の端子から電源ボックス４２を介して導体６に流れる経路のインピーダンスよりも小さい。
【００４７】
このため、モータ３から流れた雑音電流の低周波成分は、スイッチＳ１、ヒューズＦ１及びバッテリ５を介して導体６に流れ、電源ボックス４２を介してＥＣＵ４０，４１に流れることはない。導体６に流れた雑音電流の低周波成分は導線３ｂを介してモータ３の他方の端子に戻る。
【００４８】
従って、モータ３が発生した雑音に係る電流の低周波成分は、モータ３の一方の端子から、ＥＣＵ４０，４１に流れず、バッテリ５を経由してモータ３の他方の端子に戻る。このため、電源ボックス３０に接続してあるモータ３が発生した雑音が、電源ボックス４２に接続してあるＥＣＵ４０，４１に影響を及ぼすことはない。
【００４９】
（実施の形態２）
図３は、実施の形態２に係る電源装置の要部構成を示す回路図である。この電源装置７は、実施の形態１に係る電源装置１と比較して、モータ３の両端子夫々に接続する導線３ａ，３ｂの接続形態が異なる。
【００５０】
実施の形態２では、導線３ａ，３ｂの接続形態について説明し、実施の形態１と共通する構成については同一符号を付して説明を省略する。なお、実施の形態２における各構成部の接続関係は、実施の形態１における各構成部の接続関係と同様である。
【００５１】
実施の形態１における電源装置１では導線３ａ，３ｂは並置されているのに対して、実施の形態２における電源装置７では、モータ３及びコンデンサＣ１の間を接続してある導線３ａ，３ｂは図３に示すように、撚り合わされている。モータ３が発生した雑音に係る電流、即ち、雑音電流の高周波成分は、図３の破線で示すように、モータ３の一方の端子から導線３ａ，コンデンサＣ１及び導線３ｂの順に流れ、モータ３の他方の端子に戻る。
【００５２】
従って、雑音電流の高周波成分については、導線３ａ，３ｂに流れる電流の量は略同じである。また、導線３ａ，３ｂの撚り合いによって構成される複数の環夫々について、一の環において流れる電流の方向と、一の環に隣り合う環において流れる電流の方向とは逆である。例えば、一の環において電流が右回りに流れる場合、一の環に隣り合う環では電流が左回りに流れる。導線３ａ，３ｂの撚り合いによって構成される複数の環に雑音電流の高周波成分が流れた場合に発生する各環の磁界が、図３では太線で示されている。
【００５３】
以上のように構成された電源装置７では、一の環から発生する磁界の強度は、一の環に隣り合う環から発生する磁界の強度と略同じであり、一の環から発生する磁界の方向は、一の環に隣り合う環から発生する磁界の方向と反対である。従って、一の環から発生する磁界は、一の環に隣り合う環から発生する磁界と打ち消し合う。このため、雑音電流の還流によって輻射する電磁波の強度は弱い。
【００５４】
モータ３、導線３ａ、コンデンサＣ１及び導線３ｂで構成される閉回路を還流する雑音電流の高周波成分は、実施の形態１と同様に、コンデンサＣ１の容量に依存し、コンデンサＣ１の容量は、電源装置１の周辺にある図示しないアンテナが受信する無線信号の周波数に応じて適宜決定される。
【００５５】
電源装置７では、実施の形態１における電源装置１と同様に、導線３ａ，３ｂの間にコンデンサＣ１を接続することによって、雑音電流の高周波成分を還流させている。このため、モータ３の一方の端子、及び、バッテリ５の正極端子を、分岐がない導線で直接に接続し、モータ３の他方の端子、及び、バッテリ５の負極端子を、分岐がない導線で直接に接続する必要がない。従って、電源装置１内での各構成部の接続に用いられる導線の本数は少なく、電源装置７は小型である。
【００５６】
なお、電源装置７では、実施の形態１における電源装置１と同様に、モータ３が発生した雑音に係る電流の低周波成分は、モータ３の一方の端子から、ＥＣＵ４０，４１に流れず、バッテリ５を経由してモータ３の他方の端子に戻る。このため、電源ボックス３０に接続してあるモータ３が発生した雑音が、電源ボックス４２に接続してあるＥＣＵ４０，４１に影響を及ぼすことはない。
【００５７】
なお、実施の形態１及び２において、コンデンサＣ１を配置する場所は電源ボックス３０内に限定されず、コンデンサＣ１は導線３ａ，３ｂ間を接続していればよい。また、電源ボックスの数は２つに限定されず、１つでもよい。即ち、導線５０の代わりに、直線状の導線を用い、該導線について、一端をバッテリ５の正極端子に接続し、他端をヒューズＦ１，Ｆ２，Ｆ３を介して導線３ａ，４０ａ，４１ａ夫々の他端に接続してもよい。
【００５８】
この場合においても、導線３ａ，３ｂの並置又は撚り合わせが行われており、導線３ａ，３ｂの間にコンデンサＣ１が接続されているため、雑音電流の還流によって輻射する電磁波の強度は弱く、電源装置１又は７内での各構成部の接続に用いられる導線の本数が少なく、電源装置１又は７は小型である。
【００５９】
負荷の数は、３つに限定されず、２つ以上であればよい。また、２つの導線の並置又は撚り合わせを行って該２つの導線間にコンデンサを設けて、雑音電流の還流によって生じる電磁波を低減する負荷はモータに限定されない。更に、該負荷の数は１つに限定されず、２つ以上であってもよい。また、電源装置１，７夫々が備える負荷は、モータ又はＥＣＵに限定されない。
【００６０】
開示された実施の形態１，２夫々は、全ての点で例示であって制限的なものではないと考えられるべきである。本発明の範囲は上述の説明ではなく特許請求の範囲によって示され、特許請求の範囲と均等の意味及び範囲内での全ての変更が含まれることが意図される。
【符号の説明】
【００６１】
１，７  電源装置
３  モータ
３ａ，３ｂ，４０ａ，４０ｂ，４１ａ，４１ｂ，５０，５１  導線
４０，４１  ＥＣＵ
５  バッテリ
５０ａ  第１端
５０ｂ  第２端
５０ｃ  第３端
Ｃ１  コンデンサ
【図１】
2014054951.tif 000003
【図２】
2014054951.tif 000004
【図３】
2014054951.tif 000005
【図４】
2014054951.tif 000006
【図５】
2014054951.tif 000007